(57)【特許請求の範囲】
【請求項１】
携行可能な物に組み入れられることを意図された表示デバイスであって、
当該表示デバイスは、開口（３０）が設けられた表盤（１２）を有し、この開口は、表示領域を定め、前記表盤の裏には、インジケーターメンバーが配置されており、少なくとも第１のモチーフ群が、前記インジケーターメンバー（１０）と平行な平面（１８）に延在し、前記表盤に設けられた前記開口（３０）を通して見えるように構成し、前記第１のモチーフ群のモチーフどうしは、これらのモチーフが前記開口（３０）を通して現われたときに、常に同じ方向を向いており、
前記第１のモチーフ群は、第１の大きさを有する第１のモチーフと、及び前記第１のモチーフと同じ意味を有するが前記第１の大きさとは異なる第２の大きさを有する第２のモチーフとによって少なくとも形成されており、
前記第１のモチーフ群は、互いに平行に延在する複数の並置されたシリンドリカルレンズによって形成されたレンチキュラーアレー（１４）を通して見られるものであり、前記レンチキュラーアレー（１４）の前記シリンドリカルレンズ（２０）は、前記第１のモチーフ群が延在する前記平面（１８）と前記シリンドリカルレンズ（２０）の焦点面（Ｆ）が一致するような焦点距離を有し、
前記第１のモチーフ群の前記第１のモチーフ及び前記第２のモチーフは、互いに平行に延在する複数のレクチリニア区画（２４、２６）に分けられ、これらのレクチリニア区画（２４、２６）は、互いにインターリーブ配置されており、これによって、前記第１のモチーフの２つの区画（２４）の間に前記第２のモチーフの１つの区画（２６）が常にあるようにされており、
前記第１のモチーフのレクチリニア区画（２４）によって形成される像と、前記第２のモチーフのレクチリニア区画（２６）によって形成される像は、異なる大きさの同じモチーフの像であり、
前記第１のモチーフのレクチリニア区画（２４）によって形成される像と、前記第２のモチーフのレクチリニア区画（２６）によって形成される像とが視角に応じて切り替わることによってズーム効果が発生し、
前記第１のモチーフと前記第２のモチーフとは同じ意味を持つ、
ことを特徴とする表示デバイス。
【請求項２】
前記インジケーターメンバー（１０）は回転し、
前記回転用インジケーターメンバー（１０）と平行な前記平面（１８）内に、少なくとも１つの第２のモチーフ群が配置されており、
前記第１及び第２のモチーフ群は、前記回転用インジケーターメンバー（１０）の回転によって前記表盤に設けられた前記開口（３０）を通して１つずつ現われるように構成する
ことを特徴とする請求項１に記載の表示デバイス。
【請求項３】
前記回転用インジケーターメンバー（１０）をカバーする前記表盤（１２）に設けられた前記開口（３０）に、単一のレンチキュラーレンズアレー（１４）が配置されている
ことを特徴とする請求項２に記載の表示デバイス。
【請求項４】
前記回転用インジケーターメンバー（１０）は、複数のレンチキュラーアレー（１４）を有し、
前記第１及び第２のモチーフ群はそれぞれ、前記レンチキュラーアレー（１４）の１つによってカバーされている
ことを特徴とする請求項２に記載の表示デバイス。
【請求項５】
前記第１及び第２のモチーフ群をカバーする前記レンチキュラーアレー（１４）のそれぞれは、前記平面（１８）を形成する滑らかな裏面（２２）を有し、この平面（１８）に前記第１及び第２のモチーフ群が形成されている
ことを特徴とする請求項４に記載の表示デバイス。
【請求項６】
前記第１及び第２のモチーフ群が形成される前記平面（１８）は、前記回転用インジケーターメンバー（１０）の表面の一部からなる
ことを特徴とする請求項２又は３に記載の表示デバイス。
【請求項７】
前記第１及び第２のモチーフ群はそれぞれ、前記第１及び第２のモチーフと同じ意味を有するが前記第１及び第２の大きさとは異なる第３の大きさを有する第３のモチーフを有し、
この第３のモチーフは、互いに平行に延在する複数のレクチリニア区画に分けられており、前記第３のモチーフの前記レクチリニア区画は、前記第１及び第２のモチーフの前記レクチリニア区画とインターリーブ配置されており、これによって、前記第３のモチーフの２つの区画の間には、前記第１のモチーフの１つの区画（２４）及び前記第２のモチーフの１つの区画（２６）が常にあるようにされている
ことを特徴とする請求項１〜６のいずれかに記載の表示デバイス。
【請求項８】
前記第１及び第２のモチーフ群のモチーフは、同じ向きに書かれている文字数字の文字であり、
前記シリンドリカルレンズ（２０）は、前記シリンドリカルレンズによってカバーされる文字数字の文字群の文字が書かれている方向と同じ方向を向いており、
前記文字数字の文字は、その書かれている方向に互いに平行に延在する複数のレクチリニア区画に分かれている
ことを特徴とする請求項１〜７のいずれかに記載の表示デバイス。
【請求項９】
前記インジケーターメンバーは、２つの異なる大きさでモチーフを不変表示すること又は少なくとも第１及び第２のモチーフ群を動的表示することを行う液晶表示セル（３２）であり、
前記第１及び第２のモチーフ群はそれぞれ、第１の大きさを有する第１のモチーフ及び前記第１のモチーフと同じ意味を有するが前記第１の大きさとは異なる第２の大きさを有する第２のモチーフで少なくとも形成されており、
これらのモチーフは、前記液晶表示セル（３２）の表示電極で形成された同じ厚みを有する複数のレクチリニア区画に分けられている
ことを特徴とする請求項１に記載の表示デバイス。
【発明の詳細な説明】
【技術分野】
【０００１】
本発明は、携行可能な物に組み入れられることを意図された表示デバイスであって、開口が設けられた表盤を有し、この開口は、表示領域を定め、前記表盤の裏には、インジケーターメンバーが配置されており、少なくとも第１のモチーフ群が、前記インジケーターメンバーと平行な平面に延在し、前記表盤に設けられた前記開口を通して見えるように構成しているものに関する。
【背景技術】
【０００２】
上記の定義を満たすような文字数字表示デバイスが知られている。これらのデバイスでは、回転用インジケーターメンバーは、通常、ディスク又はリングの形態であり、これは、環状トラックに付された一連の規則的な間隔で配置された文字数字指示を支えている。これらの文字数字の指示は、表盤に設けられた開口を通して見ることができる。この開口は、アパーチャーと一般的に呼ばれており、その寸法は、表示される文字数字指示の寸法に対応している。インジケーターメンバーが回転すると、ディスク又はリング状の環状トラックが、アパーチャーの下を通り、これによって、文字数字の指示がアパーチャーを通して見える。このようにして、様々な指示が順に表示される。このような表示システムは非常によく用いられている。例えば、カレンダー機能付き腕時計においてである。
【０００３】
上の記載を満たすほとんどの文字数字表示デバイスの課題として、表示される指示の大きさが小さいことが共感されている。
【０００４】
実際に、隣接した指示どうしの重なり合いを避けるために、様々な指示のそれぞれを、インジケーターメンバーの環状トラックの別個の区画内に刻む必要がある。これらの状況では、区画の広がり角度は、環状トラックの周全体にわたって分布する指示の数で３６０°を割ることによって得られる角度に制限される。例えば、指示が一連の１から３１までの日付である場合、区画の広がり角度が１２°よりも少し小さい角度であると計算することができる。
【０００５】
前記課題を克服するために、欧州特許出願ＥＰ１３１０８３９Ａ１は、カレンダー機能付き腕時計であって、そのアパーチャーが、表示される文字数字の指示の拡大像を与えるように適合しているものについて記載している。このために、アパーチャーを形成する開口の大きさと形は、レンズを受けるように適合している。このようにして開口にマウントされたレンズは、拡大レンズとしてはたらく。これは、指示を読みやすくするように、日付指示の拡大像を見せる。
【０００６】
この既知の手法の１つの課題は、表示される指示を形成する数字の寸法がレンズの直径と同程度しかないということである。これらの状況では、表示領域のレンズの厚みが一定ではなく一定に近くもないことを理解できるであろう。レンズの厚みのばらつきが知覚可能な程度に十分に大きければ、透過される像が変形することが知られている。この現象は、球面収差という名称で知られている。
【発明の概要】
【発明が解決しようとする課題】
【０００７】
本発明は、上記従来技術の課題を克服することを目的とする。
【課題を解決するための手段】
【０００８】
本発明は、この目的を、添付の請求項１に係る文字数字表示デバイスを提供することによって達成する。
【０００９】
なお、用語「シリンドリカル（筒状）」は、広い意味で用いられ、表現「シリンドリカルレンズ」は、光軸を有し全長にわたって断面の輪郭が一定であるような任意のレンズを意味する。
【００１０】
なお、シリンドリカルレンズの「向き」は、そのレンズの光軸の向きに対応する。また、文字の向きは、テキストにおける他の文字との連続における当該文字が伝統的に書かれる方向に対応する。ほとんどの言語において好まれている文字を書く方向が、「水平」方向（場合に応じて、左から右、又は右から左に文字が書かれる）であることが知られている。しかし、本発明に関連する文脈においては、「水平」と呼ばれる方向は、より厳密には、頭が文字に対して伝統的な形態で向いている読者の両方の目を通る直線の方向に対応する。
【００１１】
添付図面を参照して例（これに制限されない）としてのみ与えられる以下の説明を読むことで、本発明の他の特徴及び利点を思い描くことができるであろう。
【図面の簡単な説明】
【００１２】
【図１】従来技術の文字数字表示デバイスに関連づけられた計時器用ムーブメントの平面図であり、この文字数字表示デバイスは、カレンダー機能付き腕時計のための日付表示によって形成されている。
【図２】本発明の特定の実施形態に係る文字数字表示デバイスの回転用インジケーターメンバーを形成する日付ディスクの概略平面図である。
【図３】図３Ａは、図２の表示デバイスの文字群の１つの平面図であり、この文字群は、平坦な面によって支えられており、第１の大きさを有する第１の「３」と第１の「０」、そして第２の大きさを有する第２の「３」と第２の「０」によって形成されている。図３Ｂは、図３Ａの文字群の上に配置されるレンチキュラーアレーの断面図である。
【図４】１つの文字群の上に配置されたレンチキュラーアレーの斜視図である。
【図５】図５Ａ及び５Ｂは、文字群のどの文字が観察者の目が片側面上にあるかどうかに応じて、シリンドリカルレンズの光軸を通り観察者の目を通る平面の一方の側又は他方の側のどちらかに観察者の目があるかどうかに応じて、観察者にとって前記文字群のどの文字が見えるどうかを示す概略図である。
【図６】本発明の第１の変種実施形態の概略図であり、少なくとも１つの同じモチーフが２つの異なる大きさで印刷されている回転用インジケーターメンバーをカバーする表盤に設けられている開口に、単一のレンチキュラーレンズアレーが配置されている。
【図７】図７Ａ及び７Ｂは、本発明の第２の変種実施形態の概略図であり、表盤に設けられた開口の下に配置されている液晶表示セルが、２つの異なる大きさの少なくとも１つの同じモチーフを表示している。
【発明を実施するための形態】
【００１３】
本発明は、レンチキュラーレンズアレーの下に２つの異なる大きさの同じモチーフの２つの表現を配置することを伴う大きな創造性のあるアイデアから発展したものである。観察者がモチーフを見る角度に応じて、観察者は、まず、所与の大きさのモチーフの１つを見て、次に、その見た最初のモチーフとは異なる大きさの別のモチーフを見る。これによって、ズーム効果が発生して、動的表示を行うことが可能になる。
【００１４】
本発明を、所与の月の各日の日付を指示することを可能にする３１の日付指示を支えている日付リング型の回転用インジケーターメンバーを参照して説明する。しかし、本発明は、このような実施形態に制限されず、レンチキュラーレンズアレーの下にて見ることができるモチーフは、数字、文字、ロゴ、装飾模様又は他の設計であることができることを理解できるであろう。同様に、ＬＣＤタイプのような固定又は動的な表示によってもモチーフを表示することができる。
【００１５】
図１は、従来技術のカレンダー機能付き腕時計のための計時器用ムーブメントの平面図である。図示されている計時器用ムーブメント１は、伝統的な手法で、様々なアナログ表示デバイス（図示せず）、特に、時針、分針、を駆動するように構成している。また、計時器用ムーブメント１は、文字数字表示デバイスを駆動するようにも構成する。これは、図示した例においては、日付表示デバイスで形成される。図１に示すように、日付表示デバイスは、様々な日付を表示するための１から３１までの一連の数字を支えるディスク２を有する。通常の方法で、これらの数字は、腕時計の表盤に設けられたアパーチャーを通して順に現われるようにディスク２上に配置されている（図１において、アパーチャーの場所４が長方形で示されている）。
【００１６】
計時器用ムーブメント１は、機械的ムーブメントであっても、電気機械的ムーブメントであってもよく、例えば、水晶ムーブメントであることができる。図１に示す計時器用ムーブメント１が、カレンダー機能付き腕時計の時刻及び日付をセットするために伝統的な方法で構成しているつまみ８を備える制御ステム６と連係していることがわかる。
【００１７】
図２は、本発明の特定の実施形態に係る文字数字表示デバイスの回転用インジケーターメンバーを形成する日付リング１０の部分的な概略平面図である。図示した例において、日付リング１０は、計時器（図示せず）用のカレンダー機構の一部を形成しており、計時器用ムーブメントによってステップごとに動くように駆動され、表盤１２の裏で回転するように構成する。文字数字表示デバイスにかかわらず、この例の計時器用ムーブメントは、例えば、図１の計時器用ムーブメント１と同一であることができる。
【００１８】
図２の実施形態において、回転用インジケーターメンバーが、例えば、日付リング１０であることがわかる。結果的に、回転用インジケーターメンバーは、年のすべての月の日を表示するために、３１の文字群を支えている。本発明によると、これらの文字群はそれぞれ、レンチキュラーアレー１４によってカバーされている。図示した例において、この３１のレンチキュラーアレー１４は、日付リング１０の周部に位置する環状トラック１６に付された多数の細長片で形成されている。なお、下に文字群が配置されている様々なレンチキュラーアレー１４を通して目に見える文字群のすべてが図２に示されているわけではない。図を複雑にしないためである。
【００１９】
図３Ａは、図２の表示デバイスの文字群のうちの１つについての拡大した概略平面図である。図３Ｂは、図３Ａの文字群の上に配置されたレンチキュラーアレーの断面図である。図３Ａから、図示した文字群が、第１の大きさを有する第１の「３」と第１の「０」と、第１の大きさとは異なる第２の大きさを有する第２の「３」と第２の「０」とによって形成されていることが明らかである。本発明によると、これらの文字群は、レンチキュラーアレー１４と回転用インジケーターメンバー１０の間に位置する平面１８内にて延在する。また、文字群は、レンチキュラーアレー１４のうちの１つによってカバーされる。
【００２０】
本発明によると、レンチキュラーアレー１４はそれぞれ、互いに平行に延在する並置（juxtapose）されたシリンドリカルレンズ２０の層で作られている。図３Ｂの断面図に示すように、「シリンドリカル」レンズ２０は、実際にはシリンドリカル（筒状）ではない。実際には、用語「シリンドリカル」は、広い意味で用いられる。これによって、表現「シリンドリカルレンズ」は、光軸Ｏ−Ｏを有し、その全長にわたって断面が変わらない輪郭を有するような任意のレンズを意味する。なお、このようなレンチキュラーアレーは既に知られている。さらに、本発明の実施形態に適しているレンチキュラーアレーは、いくつかの会社から商業的に入手可能である。これらのアレーは、一般的に、所望の大きさに切ることができる比較的大きな寸法のシートの形態をとる。これらのレンチキュラーシートは、安定した光透過性の材料で作られている。それらは通常、滑らかな裏面２２を有し、これによって、シートを基材に固定することが可能になる。また、好ましい変種によれば、レンチキュラーアレー１４はそれ自身、表示される文字を支える平面１８を形成することができる。この後者の変種によると、例えば、印刷によって、レンチキュラーシートの滑らかな裏面２２に直接文字が付される。この変種を描くために、図３Ｂには、レンチキュラーアレー１４の底における文字を印刷するために用いられるインクを表す暗い領域が示されている。
【００２１】
本発明によると、レンチキュラーアレー１４のシリンドリカルレンズ２０の焦点距離は、文字群が延在する平面１８とレンズの焦点面Ｆが一致するようになっている。また、図４にて明確に示してあるように、シリンドリカルレンズ２０の光軸Ｏ−Ｏは、文字群の文字と同じ方向の向きを有する（これに関連して、数字のような文字の向きは、同じ大きさの他の数字が書かれたり読まれたりする通常の方向のことであるとして理解されることが明らかあろう）。
【００２２】
図３Ａに示す文字群において、同じ第１の大きさを有する第１の「３」と第１の「０」は、いくつかのレクチリニア区画２４に分かれている。また、第２の大きさを有する第２の「３」と第２の「０」も、いくつかのレクチリニア区画２６に分かれている。レクチリニア区画２４及び２６は、文字が通常書かれる方向と平行に延在しており、第１の大きさのいくつかの断片で形成されている２つのレクチリニア区画２４の間に、第２の大きさのいくつかの断片で形成されるレクチリニア区画２６が常にあるように交互に配置されている。図３Ａ及び３Ｂを再び参照する。第１の文字のレクチリニア区画２４は、第２の文字のレクチリニア区画２６と同様に、文字群をカバーするレンチキュラーアレー１４のシリンドリカルレンズ２０の間のピッチと同じピッチとなるように構成する。
【００２３】
本発明によると、各文字群は、第１の大きさを有する少なくとも第１の文字と、及び第１の文字と同じ意味を有し第１の大きさとは異なる第２の大きさを有する。本発明の変種の１つ（図示せず）によれば、各文字群は、第１及び第２の文字と同じ意味を有するが第１及び第２の大きさと異なる第３の大きさを有する第３の文字を有することができる。しかし、本発明の主題を形成する特定の実施形態によると、数字「３」及び「０」のそれぞれは、２つの異なる大きさで示されている。したがって、各シリンドリカルレンズ２０が鉛直面Ｐ１によって同じ幅Ｌの第１の半分部分２０ａと第２の半分部分２０ｂに分けられると仮定すると、シリンドリカルレンズ２０の第１の半分部分２０ａは、第１の文字の少なくとも１つのレクチリニア区画２４をカバーし、シリンドリカルレンズ２０の第２の半分部分２０ｂは、第２の文字の少なくとも１つのレクチリニア区画２６をカバーする。これが本発明の単純化された変種の実施形態であることに留意することは重要である。実際に、印刷の解像度の分野で過去数年にわたって達成された進歩によって、第１の文字のいくつかのレクチリニア区画を同じシリンドリカルレンズの下の第２の文字のレクチリニア区画の間にインターリーブ配置（交互配置）させることを思い描くことが今日完全に可能となっている。
【００２４】
図４、５Ａ、５Ｂを参照して本発明の動作を説明する。上記のように、レンチキュラーアレー１４のシリンドリカルレンズ２０の焦点距離は、文字群が延在する平面１８とレンズの焦点面Ｆが一致するようになっている。これらの状況では、シリンドリカルレンズ２０はそれぞれ、観察者２８の目の方へと、レクチリニア区画２４又はレクチリニア区画２６のどちらかのみの拡大像を投影する。このレクチリニア区画は、シリンドリカルレンズ２０の光軸Ｏ−Ｏ及び観察者２８の目を通る平面Ｐの一方の側又は他方の側上にあるものである。したがって、レンチキュラーアレー１４のシリンドリカルレンズ２０がこれらのシリンドリカルレンズ２０によってカバーされる文字と同じ方向の向きを有することを考慮すれば、このことによって、観察者２８が左右の目ごとに異なる像を見るようになることを防ぐことがてきることを理解することができるであろう。
【００２５】
図示した例において、シリンドリカルレンズ２０の第１の半分部分２０ａが第１の文字のレクチリニア区画２４をカバーし、シリンドリカルレンズ２０の第２の半分部分２０ｂが第２の文字のレクチリニア区画２６をカバーすることを理解できたであろう。したがって、１つの文字群が表盤１２に設けられた開口３０によって目に見えるときに、平面Ｐ２の一方の側から観察者が目で開口３０を見ると、観察者は、レクチリニア区画２４によって形成される像（第１の大きさの形の数字「３０」の像）を見ることになる。反対に、観察者の目が平面Ｐ２の反対の側にあるとき、観察者は、レクチリニア区画２６によって形成される像（第２の大きさの形の数字「３０」の像）を見る。すなわち、これらの２つの像が視角に応じて切り替わる。これらの切り替えられる２つの像が異なる大きさの形で描かれた同じ数字の２つの像であるので、上記のことは、「ズーム」効果と呼ぶ。このズーム効果は、アニメーション化した像を作ることによって、開口３０を通して見られる文字群を注目させる。
【００２６】
１つの文字群の明瞭な像を得るためには、レクチリニア区画２４及び２６が非常に細いことが有利である。このために、例えば、４０ＬＰＩ（１インチ当たり４０のシリンドリカルレンズ）のレンチキュラーアレーを用いることができる。このような構成のシリンドリカルレンズの幅が約２／３ミリメートルであるように計算することができる。これらの状況では、レクチリニア区画の幅は、約１／３ミリメートルとすることができる。
【００２７】
また、添付の請求の範囲によって定められる本発明の範囲から逸脱せずに、本明細書で記載した実施形態に対して、当業者にとって明白な様々な変更及び／又は改良を行うことができることは明らかであろう。具体的には、文字群がそれぞれ、第１及び第２の文字とは同じ意味を有するが第１及び第２の大きさとは異なる第３の大きさを有するような第３の文字を含んでいて、この第３の文字が、文字の向きと平行であって第１及び第２の文字とでインターリーブ配置されたいくつかのレクチリニア区画に分けられていて、これによって、第３の文字の２つの区画の間に、第１の文字の区画が１つと第２の文字の区画が１つ常にあるようにすることができる。これらの３つの種類の区画どうしが常に同じ順となるように配置されていれば、大きさが２よりも大きな数あることによって、「ズーム」効果を一層に壮観にすることができる。
【００２８】
上で説明した実施形態において、回転用インジケーターメンバーは、年のすべての月の日を表示するために、３１の文字群を支える日付リングである。本発明によると、各文字群は、レンチキュラーアレーによってカバーされる。
【００２９】
図６に示す本発明の好ましい変種によると、各文字群をレンチキュラーレンズアレーでカバーする代わりに、回転用インジケーターメンバー１０をカバーする表盤１２に設けられた開口３０内に、単一のレンチキュラーレンズアレー１４が配置される。結果的に、回転用インジケーターメンバーが回転するにつれて、この回転用インジケーターメンバーによって支えられる文字群のすべてが、レンチキュラーレンズアレーの下を段階的に通る。このような手法には、より少数の部品及びより少ない製造時間しか必要とせず、したがって、より経済的である。もちろん、この回転用インジケーターメンバーによって支えられる文字群は、本発明に従う。すなわち、各文字群は、２つの異なる大きさの少なくとも２倍の同じモチーフで作られ、これらのモチーフは、互いにインターリーブ配置されたいくつかのレクチリニア区画に分けられている。図６に示す特定の例において、各文字群が２つの異なる大きさの２倍の同じ日付指示で形成されていることを理解することができる。また、各文字群がレンチキュラーレンズアレーによってカバーされるような本発明の実施形態に関連して上で記載した光学的性質は、単一のレンチキュラーレンズアレーが表盤に設けられた開口に固定され、各文字群が回転用インジケーターメンバーによって支えられるような図６の場合にも有効である。
【００３０】
最後に、上記の例は、数字の指示を支える回転用インジケーターメンバーに関連している。しかし、本発明は、このような実施形態に制限されず、回転用インジケーターメンバーは、任意の種類のモチーフを支えることができることを理解できるであろう。これは、例えば、文字、ロゴである（これに制限されない）。
【００３１】
その特定のロゴの場合には、本発明に係るモチーフ群は、同じ厚みのレクチリニア区画に分けられた２つの異なる大きさの２つの同じロゴで形成され、これらどうしは、シリンドリカルレンズが延在する方向と同一方向にてインターリーブ配置される。
【００３２】
本発明の単純化された変種の実施形態によると、本発明の表示デバイスが１つのモチーフを２つの異なる大きさで表示することのみを行うことができるようになっていることも思い描くことができる。このような表示デバイスは、２つの異なる大きさのブランドロゴなどのみを表示することを望む場合に有利であることができる。
【００３３】
別の好ましい変種によると、表盤１２に設けられた開口３０と垂直に配置され開口３０内に単一のレンチキュラーレンズアレー１４が配置された液晶表示セル３２のようなデジタル表示デバイスをインジケーターメンバーとして用いることを思い描くことができる。この液晶表示セル３２は、２つの異なる大きさの１つのロゴなどについての連続的ないし不変な表示をすることができる。また、図７Ａ及び７Ｂに示すように、この表示セル３２は、少なくとも第１の文字群（図７Ａ）及び第２の文字群（図７Ｂ）の動的表示であって、第１及び第２の文字群のそれぞれは、少なくとも第１の大きさを有する第１の文字と、及び第１の文字と同じ意味であるが第１の大きさとは異なる第２の大きさを有する第２の文字とで形成されているものを提供することもできる。これらの両方の場合において、文字は、液晶表示セル３２の表示電極によって形成される厚みと同じ厚みのレクチリニア区画に分けられる。
【符号の説明】
【００３４】
１  計時器用ムーブメント
２  ディスク
４  アパーチャー
６  制御ステム
８  つまみ
１０  日付リング
１２  表盤
１４  レンチキュラーアレー
１６  環状トラック
１８  平面
２０  シリンドリカルレンズ
２２  滑らかな裏面
２４  第１の文字のレクチリニア区画
２６  第２の文字のレクチリニア区画
２８  観察者
３０  開口
３２  液晶表示セル
Ｏ−Ｏ  光軸
Ｆ  焦点面
Ｐ１  平面
Ｌ  幅
Ｐ２  平面
【図１】
0006352887.tif 000002
【図２】
0006352887.tif 000003
【図３】
0006352887.tif 000004
【図４】
0006352887.tif 000005
【図５】
0006352887.tif 000006
【図６】
0006352887.tif 000007
【図７】
0006352887.tif 000008